(57)【要約】【課題】生薬芍薬の製造工程管理および製品品質管理のために、簡便な機械化された品質鑑定方法を提供すること。【解決手段】本発明の生薬芍薬の品質鑑定方法は、芍薬を前処理して分析サンプルを得る工程；該分析サンプルを機器分析に供して分析結果を得る工程；該分析結果を数値データに変換して多変量解析する工程；および得られた解析結果から、品質を鑑定する工程；を含む。好適には、機器分析がＵＰＬＣ／ＭＳまたはＧＣ／ＦＩＤであり、そして多変量解析がＯＳＣ−ＰＬＳ回帰分析である。【選択図】なし【特許請求の範囲】
【請求項１】
芍薬の品質鑑定方法であって、芍薬を前処理して分析サンプルを得る工程、該分析サンプルを機器分析に供して分析結果を得る工程、該分析結果を数値データに変換して多変量解析する工程、および得られた解析結果から品質を鑑定する工程を含むことを特徴とする芍薬の品質鑑定方法。
【請求項２】
前記多変量解析がＰＬＳ回帰分析である請求項１記載の品質鑑定方法。
【請求項３】
前記ＰＬＳ回帰分析が直交シグナル補正（ＯＳＣ）との組合わせである請求項２記載の品質鑑定方法。
【請求項４】
前記機器分析が超高速液体クロマトグラフィーと質量分析との組合わせである請求項１〜３のいずれか１項記載の品質鑑定方法。
【請求項５】
前記機器分析がガスクロマトグラフィーである請求項１〜３のいずれか１項記載の品質鑑定方法。
【請求項６】
前記前処理が、前記芍薬から親水性化合物を抽出して抽出物を得る工程を含む請求項１〜５のいずれか１項記載の品質鑑定方法。
【請求項７】
前記分析結果の中で、カテキン、アルビフロリン、ガロイルペオニフロリン、ガロイルアルビフロリン、６’−ベンゾイルペオニフロリン、ペンタガロイルグルコース、およびオキシペオニフロリンからなる群より選択される化合物に由来するピークが指標とされる請求項４記載の品質鑑定方法。
【請求項８】
品質既知の複数の芍薬を前処理して個別の分析サンプルを得る工程、該個別の分析サンプルを機器分析に供して個別の分析結果を得る工程、および該個別の分析結果と該品質との関係を数値データに変換して多変量解析する工程によって得られる芍薬の品質鑑定モデル。
【請求項９】
芍薬の品質鑑定方法であって、芍薬を前処理して分析サンプルを得る工程、該分析サンプルを機器分析に供して分析結果を得る工程、該分析結果を数値データに変換して多変量解析する工程、および得られた解析結果を、請求項８記載の品質鑑定モデルと照合する工程を含むことを特徴とする芍薬の品質鑑定方法。
【発明の詳細な説明】
【技術分野】
【０００１】
本発明は、生薬としての芍薬の品質鑑定方法に関する。より詳細には、芍薬に含まれるその代謝物の機器分析データに基づく芍薬の品質鑑定方法に関する。
【背景技術】
【０００２】
芍薬は、重要な生薬の１種として多くの漢方処方用薬として用いられ、鎮痛鎮痙薬、婦人薬、冷え症用薬、かぜ薬、皮膚疾患用薬、消炎排膿薬としてみなされる処方およびその他の処方に高頻度で配合されている。例えば、当帰芍薬散、四物湯、桂枝茯苓丸、芍薬甘草湯、十全大補湯など数多くの漢方薬に処方されている。日本薬局方記載の生薬としての芍薬（Ｐａｅｏｎｉａｅ  Ｒａｄｉｘ）は、シャクヤク（Ｐａｅｏｎｉａ  ｌａｃｔｉｆｌｏｒａ  Ｐａｌｌａｓ）の根であり、細根やコルク層を削り取った根を乾燥して調製され、換算した生薬の乾燥物に対してペオニフロリン２％以上含むことが規定されている（非特許文献１）。一方、中国漢方薬では、芍薬を「白芍」と「赤芍」に大別し、それぞれ異なった性味や効能を有する薬物として区別して配合しており、基原植物としてＰａｅｏｎｉａ  ｌａｃｔｉｆｌｏｒａ  Ｐａｌｌａｓ以外にＰ．ｖｅｉｔｃｈｉｉ  Ｌｙｎｃｈ．も用いられている。
【０００３】
実際の日本生薬市場における芍薬の品質および価格は、外観、香りおよび味についての熟練者による官能試験に基づく鑑定結果に依存しており、古くから奈良県下で栽培、育成されてきた大和芍薬は、優良品として高値で取引されている。しかし、官能試験に基づき正確な鑑定を行うには、長い経験年数がかかること、そして五感に頼る鑑定では客観性や再現性に問題を生じる場合もある。従って、五感に頼る鑑定に加えて、客観的な機器分析データによる科学的技法に基づく鑑定の裏づけが可能であれば、鑑定の信頼度はさらに向上し、市場価格の適正化にも寄与すると期待される。さらにシャクヤク根の採集から生薬芍薬までの調製加工が、その生薬芍薬の薬効成分量等の含量や品質に大きく関与してくるとの報告がある（非特許文献２、３）が、科学的技法に基づく鑑定方法は、その調製加工の適正な工程管理や製品の品質管理にも寄与できると期待される。
【０００４】
これまで、生薬の科学的分析データに基づく品質鑑定方法は当帰について開示がある（特許文献１、２）。しかし、芍薬については、中国において栽培・加工された芍薬の超高速液体クロマトグラフィー（ＵＰＬＣ）分析データに基づく化学成分のプロファイリングに関する報告（非特許文献４）、高速液体クロマトグラフィー（ＨＰＬＣ）フィンガープリンティングによるＰ．ｌａｃｔｉｆｌｏｒａとＰ．ｖｅｉｔｃｈｉｉ間の成分の相違や判別についての報告（非特許文献５）等はあるが、科学的分析データに基づく芍薬の品質鑑定方法については、全く報告がなかった。
【先行技術文献】
【特許文献】
【０００５】
【特許文献１】特開２００９−８５８３４号公報
【特許文献２】特開２００９−２４４０１５号公報
【非特許文献】
【０００６】
【非特許文献１】第１５改正日本薬局方  ３５８９〜３５９１頁など
【非特許文献２】池田憲廣ら、薬学雑誌  １１６巻、１３８〜１４７頁（１９９６年）
【非特許文献３】野口衛ら、ＦＦＩジャーナル  ２１３巻、７２７〜７３６頁（２００８年）
【非特許文献４】Ｓ−Ｌ．Ｌｉら、ジャーナル  オブ  ファーマシュウティカル  アンド  バイオメディカル  アナリシス（Ｊ．Ｐｈａｒｍ．Ｂｉｏｍｅｄ．Ａｎａｌ．）４９巻、２５３〜２６６頁（２００９年）
【非特許文献５】Ｓ．Ｘｕら、ジャーナル  オブ  クロマトグラフィー  Ａ（Ｊ．Ｃｈｒｏｍａｔｏｇｒ．Ａ）１２１６巻、２１６３〜８頁（２００９年）
【発明の開示】
【発明が解決しようとする課題】
【０００７】
上記のように、生薬芍薬の市場価格は、現在は、主として味、香り、形態を考慮して熟練者によって決定された官能試験に依存している。しかし、官能試験の技能獲得には経験年数がかかること、客観性や再現性の面で問題を生じる場合もある。さらに薬理学的活性成分を指標とした品質は、通常の官能試験と関連付けるものはなかった。このように、これまでは、科学的技法に基づく客観的な品質鑑定方法は存在しなかった。さらに、芍薬の製造工程管理および製品品質管理のためにも、簡便な科学的技法に基づく品質鑑定方法が必要とされている。
【課題を解決するための手段】
【０００８】
質量分析（ＭＳ）と組合わせた液体クロマトグラフィー（ＬＣ）およびガスクロマトグラフィー（ＧＣ）などの分析技法によって、種々の生薬の広範な代謝物を短時間で包括的に分析できるため、品質評価および鑑定目的に有用な技法である。そこで本発明者らは、超高速液体クロマトグラフィー（ＵＰＬＣ）と質量分析の組合わせ、ならびにガスクロマトグラフィーによる芍薬代謝物のフィンガープリンティングが、短時間内で非常に高精度かつ信頼性のある広範囲の代謝物情報を提供することができることに注目した。得られた情報は、ＰＣＡ（主成分分析；ｐｒｉｎｃｉｐａｌ  ｃｏｍｐｏｎｅｎｔ  ａｎａｌｙｓｉｓ）、ならびにＰＬＳ回帰分析（ｐａｒｔｉａｌ  ｌｅａｓｔ  ｓｑｕａｒｅ  ｐｒｏｊｅｃｔｉｏｎ  ｔｏ  ｌａｔｅｎｔ  ｓｔｒｕｃｔｕｒｅ）などの多変量解析、特に、直交シグナル補正（ｏｒｔｈｏｇｏｎａｌ  ｓｉｇｎａｌ  ｃｏｒｒｅｃｔｉｏｎ：ＯＳＣ）と組合わせたＰＬＳ回帰分析により、芍薬の官能試験結果と関連付けることが出来ることを見出し、さらに信頼性の高い芍薬の品質鑑定を行うことができることを見出し、本発明を完成させた。
【０００９】
即ち、本発明は以下の発明を包含する。
（１）芍薬の品質鑑定方法であって、芍薬を前処理して分析サンプルを得る工程、該分析サンプルを機器分析に供して分析結果を得る工程、該分析結果を数値データに変換して多変量解析する工程、および得られた解析結果から品質を鑑定する工程を含むことを特徴とする芍薬の品質鑑定方法、
（２）前記多変量解析がＰＬＳ回帰分析である（１）記載の品質鑑定方法、
（３）前記ＰＬＳ回帰分析が直交シグナル補正（ＯＳＣ）との組合わせである（２）記載の品質鑑定方法、
（４）前記機器分析が超高速液体クロマトグラフィーと質量分析との組合わせである（１）〜（３）のいずれかに記載の品質鑑定方法、
（５）前記機器分析がガスクロマトグラフィーである（１）〜（３）のいずれかに記載の品質鑑定方法、
（６）前記前処理が、前記芍薬から親水性化合物を抽出して抽出物を得る工程を含む（１）〜（５）のいずれかに記載の品質鑑定方法、
（７）前記分析結果の中で、カテキン、アルビフロリン、ガロイルペオニフロリン、ガロイルアルビフロリン、６’−ベンゾイルペオニフロリン、ペンタガロイルグルコース、およびオキシペオニフロリンからなる群より選択される化合物に由来するピークが指標とされる（４）記載の品質鑑定方法、
（８）品質既知の複数の芍薬を前処理して個別の分析サンプルを得る工程、該個別の分析サンプルを機器分析に供して個別の分析結果を得る工程、および該個別の分析結果と該品質との関係を数値データに変換して多変量解析する工程によって得られる芍薬の品質鑑定モデル、
（９）芍薬の品質鑑定方法であって、芍薬を前処理して分析サンプルを得る工程、該分析サンプルを機器分析に供して分析結果を得る工程、該分析結果を数値データに変換して多変量解析する工程、および得られた解析結果を（８）に記載の品質鑑定モデルと照合する工程を含むことを特徴とする芍薬の品質鑑定方法、
などに関するものである。
【発明の効果】
【００１０】
本発明によれば、従来困難であった芍薬の総合品質を、より精度よくかつ簡便な科学的方法で鑑定することが可能である。したがって、従来の官能試験結果と薬理学的に活性な化合物の含量との関連も含めた総合的な鑑定により、適切な品質および価格の芍薬を提供することができる。
【図面の簡単な説明】
【００１１】
【図１】芍薬サンプルの高級品ＳＹ−０３（１等級；ランク＃１）および低級品ＳＹ−０４（５等級；ランク＃５）のＵＰＬＣ／ＴＯＦ−ＭＳのトータルイオンクロマトグラフであり、ＥＳＩポジティブモードのクロマトグラフをそれぞれ（Ａ）と（Ｂ）、ＥＳＩネガティブモードのクロマトグラフをそれぞれ（Ｃ）と（Ｄ）に示す。
【図２】１等級（ランク＃１）〜６等級（ランク＃６）芍薬サンプルのＵＰＬＣ／ＴＯＦ−ＭＳ分析データに基づくＰＣＡ解析結果のスコアプロットを示す図である。（Ａ）はＥＳＩポジティブモードのデータの場合を、（Ｂ）はＥＳＩネガティブモードの場合を示す。
【図３】１等級（ランク＃１）〜６等級（ランク＃６）芍薬サンプルのＵＰＬＣ／ＴＯＦ−ＭＳ分析データに基づくＰＣＡ解析結果のローディングプロットを示す図である。（Ａ）はＥＳＩポジティブモードの場合を、（Ｂ）はＥＳＩネガティブモードの場合を示す。
【図４】ＵＰＬＣ／ＴＯＦ−ＭＳ分析データにおけるキャリブレーションセット（△で示す）およびテストセット（▲で示す）の両方の芍薬サンプルについてのＯＳＣ−ＰＬＳモデルの実測および予測の芍薬の等級（ランキング）間の関係を示す図である。縦軸が官能試験による実測ランキング、横軸が予測ランキングを示し、（Ａ）はＥＳＩポジティブモードの場合を、（Ｂ）はＥＳＩネガティブモードの場合を示す。
【図５】芍薬サンプルの高級品ＳＹ−０３（１等級；ランク＃１）のＧＣ／ＦＩＤ(水素炎イオン型検出器)、ＧＣ／ＴＯＦ−ＭＳおよびＦａｓｔ（高速）ＧＣ／ＦＩＤのクロマトグラフをそれぞれ（ａ）、（ｂ）及び（ｃ）に示す。
【図６】１等級（ランク＃１）〜６等級（ランク＃６）芍薬サンプルのＧＣ／ＦＩＤ分析データに基づくＰＣＡ解析結果のスコアプロットを示す図である。
【図７】１等級（ランク＃１）〜６等級（ランク＃６）芍薬サンプルのＦａｓｔ  ＧＣ／ＦＩＤ分析データに基づくＰＬＳ−ＤＡ解析結果を示す図である。
【図８】ＧＣ／ＦＩＤおよびＦａｓｔ  ＧＣ／ＦＩＤ分析データにおけるキャリブレーションセット（△で示す）およびテストセット（▲で示す）の両方の芍薬サンプルについてのＯＳＣ−ＰＬＳモデルの実測および予測の芍薬の等級（ランキング）間の関係を示す図である。縦軸が官能試験による実測ランキング、横軸が予測ランキングを示し、（Ａ）がＧＣ／ＦＩＤ分析データによるＯＳＣ−ＰＬＳモデルを、（Ｂ）がＦａｓｔ  ＧＣ／ＦＩＤ分析データによるＯＳＣ−ＰＬＳモデルを示す。
【発明を実施するための形態】
【００１２】
以下において、本発明を詳細に説明する。本発明の品質鑑定方法により鑑定することができる生薬の芍薬（Ｐａｅｏｎｉａｅ  Ｒａｄｉｘ）としては、日本薬局方にて生薬芍薬の基原植物と定められているシャクヤク（Ｐａｅｏｎｉａ  ｌａｃｔｉｆｌｏｒａ  Ｐａｌｌａｓ）の根だけでなく、中国漢方薬おいて、芍薬の基原植物として用いられる近縁植物のＰａｅｏｎｉａ  ｏｂｏｖａｔａ  Ｍａｘｉｍ．（ベニバナヤマシャクヤク）やＰａｅｏｎｉａ  ｖｅｉｔｃｈｉｉ  Ｌｙｎｃｈ．（センセキシャク）、さらにＰａｅｏｎｉａ  ｏｆｆｉｃｉｎａｌｉｓ  Ｌ．（セイヨウシャクヤク）の根も含めて品質鑑定することができる。
【００１３】
本発明において、芍薬は、以下で述べる機器分析に応じて適切に前処理された後、種々の機器分析に供され得る。
【００１４】
本発明において、機器分析とは、分析機器を用いる分析・測定手段をいい、ガスクロマトグラフィー（ＧＣ）、液体クロマトグラフィー（ＬＣ）（例えば、高速液体クロマトグラフィー（ＨＰＬＣ）、超高速液体クロマトグラフィー（ＵＰＬＣ））、質量分析（ＭＳ）（例えば、飛行時間質量分析（ＴＯＦ−ＭＳ））、赤外分光分析（ＩＲ）（例えば、フーリエ変換赤外分光分析（ＦＴ−ＩＲ））、近赤外分光分析（ＮＩＲ）（例えば、フーリエ変換近赤外分光分析（ＦＴ−ＮＩＲ））、核磁気共鳴分析（ＮＭＲ）（例えば、フーリエ変換核磁気共鳴分析（ＦＴ−ＮＭＲ））などが挙げられる。これらの機器分析は組み合わせてもよく、例えば、ＧＣ／ＭＳ、ＬＣ／ＭＳ（特に、ＨＰＬＣ／ＭＳ、ＵＰＬＣ／ＭＳ）などの組み合わせが挙げられる。これらの機器分析に用いられる装置は、特に限定されず、芍薬中に含まれる代謝物を測定することが可能であれば、通常用いられている装置が用いられ得る。また、測定条件は、これらの物質の測定に適切なように当業者によって適宜設定され得る。本発明においては、豊富な構造情報を提示し、分析時間が短縮されることなどの理由にて、ＵＰＬＣ／ＴＯＦ−ＭＳ、ＧＣ／ＦＩＤ（水素炎イオン型検出器）、Ｆａｓｔ（高速）ＧＣ／ＦＩＤおよびＧＣ／ＴＯＦ−ＭＳが好適に採用される。
【００１５】
前処理は、芍薬中の分析対象物質を機器分析に供するに適した形態にするために、上述のように機器分析に応じて行われる。前処理としては、切断、粉砕、乾燥、抽出などの処理が挙げられる。例えば、粉砕は、芍薬のスライスやチップを乾燥後、ブレンダー、ボールミルなどの適切な器具を用いて行われ、芍薬の粉末を得る。また、抽出は、粉末化された芍薬（芍薬末）を水、有機溶媒、またはこれらの溶媒の混合液を用いて行われる。抽出に使用され得る有機溶媒としては、メタノール、エタノール、ｎ−プロパノール、イソプロパノール、アセトン、クロロホルムなどが挙げられ、さらに抽出効率を上げるためにギ酸等の有機酸を添加してもよい。抽出操作としては、通常は、芍薬末を水および／または有機溶媒に浸漬し、超音波下または／および室温〜加熱下にて抽出操作を行う。加熱温度は、使用される溶媒に応じて適宜決定され、通常は、常圧下で溶媒の沸点付近の温度が選択される。超音波処理時間や加熱時間も適宜設定される。また、これらの単位操作を単独でまたは組合わせて適切な前処理条件を設定することができる。
【００１６】
例えば、機器分析としてＵＰＬＣを行う場合、好ましくは、前処理は、芍薬末から水とアルコール類の混合溶媒で抽出し、抽出液を遠心およびろ過して、分析用サンプルを得る工程を含む。ＵＰＬＣは、微小なカラム粒子に高い線速度の移動相を通過させて、速い分析スピード、高い分離能、および高感度が達成される。ＵＰＬＣに用いられるカラム粒子は、ＨＰＬＣに用いるカラム粒子（例えば、５μｍまたは３．５μｍ）よりも小さい直径（例えば、２．０μｍ以下）を有するカラム粒子であり、アフィニティーカラム、逆相カラム、およびイオン交換カラムが挙げられる。カラムとしては、例えば、ＡＣＱＵＩＴＹ  ＵＰＬＣ（登録商標）ＢＥＨ  Ｃ１８（１．７μｍ、２．１Ｘ１５０ｍｍ）などが好ましい。ＵＰＬＣの条件（例えば、流速、検出器、移動相など）は、試料に応じて適宜選択される。
【００１７】
例えば、機器分析としてＧＣを行う場合、好ましくは、前処理は、芍薬からの抽出物をシリル化等の誘導体化する工程をさらに含む。シリル化は、当業者が通常用いるＧＣ用のシリル化試薬を用いて行われ得る。あるいは、前処理として、芍薬を、例えば、粉末化後、熱分解処理のみ施したものも、分析対象試料となり得る。この場合、熱分解物を、抽出することなく直接ＧＣに導入することができる。熱分解は、市販の熱分解装置を用いて行うことができる。従来型のＧＣが、基本的に長さ３０ｍ、内径０．２５ｍｍのキャピラリーカラムを使用するのに対し、Ｆａｓｔ（高速）ＧＣは、基本的に２０ｍまたはそれより短い長さで、内径０．１０から０．１８ｍｍのキャピラリーカラムを使用し、かつ従来型ＧＣよりも速いキャリアーガス線速度で、急速なオープン昇温をすることにより、より短時間で十分な分離能を達成することができる。
【００１８】
上記の前処理が施された芍薬サンプルは、任意の機器分析に供され、分析結果が得られる。得られた分析結果は、芍薬サンプルのフィンガープリントであり得る。このフィンガープリントを数値データに変換して多変量解析が行われる。分析により得られる結果（変数）としては、保持時間、波長（または波数）、ならびにシグナル強度（またはイオン強度）、吸光度などのスペクトルデータが挙げられる。さらに、変数としては、官能検査による芍薬サンプルのランキング（等級）も挙げられる。
【００１９】
多変量解析としては、機器分析データの解析に、特にケモメトリクスにおいて通常用いられる解析ツールが採用される。例えば、ＰＣＡ（主成分分析：ｐｒｉｎｃｉｐａｌ  ｃｏｍｐｏｎｅｎｔ  ａｎａｌｙｓｉｓ）、ＨＣＡ（階層クラスター分析：ｈｉｅｒａｒｃｈｉｃａｌ  ｃｌｕｓｔｅｒ  ａｎａｌｙｓｉｓ）、ＰＬＳ回帰分析（ｐａｒｔｉａｌ  ｌｅａｓｔ  ｓｑｕａｒｅ  ｐｒｏｊｅｃｔｉｏｎ  ｔｏ  ｌａｔｅｎｔ  ｓｔｒｕｃｔｕｒｅ）、判別分析（ｄｉｓｃｒｉｍｉｎａｔｅ  ａｎａｌｙｓｉｓ：ＤＡ）などの種々の多変量解析ツールが挙げられる。さらに、ＰＬＳを用いて、関連の変量の２群間の関係；例えば、芍薬の代謝物データとその品質との間の関係が確認される。必要に応じて、スペクトルフィルタリング法、例えば、妨害成分を取り除くための直交シグナル補正（ｏｒｔｈｏｇｏｎａｌ  ｓｉｇｎａｌ  ｃｏｒｒｅｃｔｉｏｎ：ＯＳＣ）と組み合わせて多変量解析が行われるのが好ましい。これらの解析ツールは、ソフトウエアとして多数市販されており、任意のものが入手可能である。このような市販のツールは、一般的に、難しい数学・統計学の知識がなくても、多変量解析を行うことができるように操作マニュアルが備えられている。
【００２０】
多変量解析は、得られた全データではなく、品質鑑定に重要な一定の範囲のデータを選択して行ってもよい。例えば、芍薬を１Ｈ−ＮＭＲで分析する場合、δ４．５〜５．１ｐｐｍ間の水領域を除去したデータについて、あるいはＦＴ−ＮＩＲで分析する場合、特定の近赤外波長領域についてＰＣＡやＰＬＳを行ってもよい。
【００２１】
本発明において好適に採用されるＰＬＳ回帰分析は、変数（例えば、波数、波長）間に相関を有するスペクトルデータからの検量線作成に有効な手法である。通常、変数間に相関があると、用いる変数の組み合わせによっては回帰精度が著しく低下するが、これを避けるためにＰＬＳでは変数を互いに無相関な変数（潜在変数）に変換し、この潜在変数を用いて回帰を行う。すなわち、ＰＬＳとはデータの変数を直交変換し、その新たな変数を用いて（重）回帰分析を行う解析手法である。特に、予測モデルの作成には、ＰＬＳ回帰について、直行シグナル補正（ＯＳＣ）フィルタリング方法による予備処理を行うことが好適である。
【００２２】
具体的には、複数の品質（等級）既知の芍薬サンプルから代謝物を抽出してＵＰＬＣ／ＭＳにより定量解析を行う場合には、得られたＵＰＬＣ／ＭＳクロマトグラムから保持時間インデックスを独立変数、質量分析シグナル強度を従属変数としてマトリクスデータを作成する。等級既知の複数の芍薬サンプルの等級を説明変数として、既知サンプルをトレーニングセットとしてＰＬＳ法により等級予測モデルを作成できる。例えば、品質（等級）未知の芍薬サンプルから同様に機器分析して得られたデータを多変量解析し、その解析結果を予測モデルと比較・照合することによって、どの等級に位置するかがわかるため、品質（等級）を鑑定することができる。
【００２３】
例えば、芍薬から代謝物を抽出してＵＰＬＣ／ＴＯＦ−ＭＳで分析した場合、得られる分析結果は、種々の代謝物の保持時間、マススペクトル、イオン強度などがある。この場合、特に、カテキン、アルビフロリン、ガロイルペオニフロリン、ガロイルアルビフロリン、６’−ベンゾイルペオニフロリン、ペンタガロイルグルコース、およびオキシペオニフロリンは、芍薬の品質鑑定（等級分類）に重要な役割を果たす代謝物である。
【００２４】
分析機器として、ＧＣ／ＦＩＤまたはＦａｓｔ  ＧＣ／ＦＩＤを使用する場合も、ＵＰＬＣ／ＴＯＦ−ＭＳの場合と同様にして、芍薬の品質等級予測モデルを構築することができる。
【００２５】
また、上記の方法によって得られる予測モデルは、データの蓄積により、精度が上昇し得る。したがって、例えば、芍薬中の代謝物の相対量の傾向がより明確になれば、品質未知の芍薬の分析結果からフィンガープリントを得、このフィンガープリントに基づいて品質鑑定をすることも可能となる。
【実施例】
【００２６】
以下に、本発明を実施例に基づいて説明する。本発明は以下の実施例によってなんら限定されるものではなく、本発明の属する技術分野における通常の変更を加えて実施することが出来ることは言うまでもない。
【００２７】
試薬および標品のうち、ロイシン−エンケファリンはＵｌｔｒａ  Ｓｃｉｅｎｔｉｆｉｃ社から、ならびに没食子酸、ペオニフロリン、アルビフロリン、ペオノールやその他の標品となる試薬は、和光純薬工業株式会社から購入したものを使用した。
【００２８】
実施例１（ＵＰＬＣ／ＴＯＦ−ＭＳ分析用のサンプルの調製および分析）
本試験に用いた芍薬サンプルを表１に示す。大和芍薬、大潟芍薬、薬用芍薬は、Ｐａｅｏｎｉａ  ｌａｃｔｉｆｌｏｒａの根である。一方、中国漢方薬では、芍薬の基原植物として、Ｐａｅｏｎｉａ  ｌａｃｔｉｆｌｏｒａ以外の近縁植物のＰａｅｏｎｉａ  ｖｅｉｔｃｈｉｉ  Ｌｙｎｃｈ．などが使用されるため、中国産芍薬の基原植物は、不確かである。これらの芍薬サンプルはいずれも奈良県の生薬ディーラーである福田商店より購入した。また、芍薬の品質（等級）は、外観、芳香、および味に基づく芍薬サンプルの官能品質評価における専門の知見および長い経験を有する福田商店の熟練者によって鑑定および等級ランキングされている。芍薬の品質は、１〜６の等級にランキングされ、最高品質を１等級（ランク＃１）とし、最低品質を６等級（ランク＃６）と分類した。これらの特徴を表１に示す。
【００２９】
【表１】
2011174899.tif 000002
【００３０】
各種乾燥芍薬粉末１０ｍｇに、０．１％ギ酸を含む８０％メタノール１０００μＬを加えて、室温で５分間超音波処理して抽出した後、１６０００×ｇで５分間遠心分離した。次いで、２００μＬの上清を、ミリポア０．２μｍＰＴＦＥフィルターでろ過し、得られたろ液を分析サンプルとした。
【００３１】
得られた分析サンプル３μＬをＵＰＬＣ／ＴＯＦ−ＭＳに供した。ＵＰＬＣとしてＷａｔｅｒｓ  ＡＣＱＵＩＴＹ  ＵＰＬＣ（商標）システム（Ｗａｔｅｒｓ社）、検出としてＬＣＴ  Ｐｒｅｍｉｅｒ  ＸＥ（商標）マススペクトロメトリー（Ｗａｔｅｒｓ社）を用いた。クロマトグラフィー分離は、２．１×１５０ｍｍ，１．７μｍのＡｃｑｕｉｔｙ  ＵＰＬＣ  ＢＥＨ（登録商標）Ｃ１８カラムを装着し、４０℃で操作した。移動相の条件としては、０．３ｍＬ／分の流速で、移動相Ａとして水（０．１％（ｖ／ｖ）のギ酸を含む）および移動相Ｂとしてアセトニトリル（０．１％（ｖ／ｖ）のギ酸を含む）を用い、移動相Ｂを０％（ｖ／ｖ）から５６％（ｖ／ｖ）を１０分間で直線的にグラジュエント増加させ、１００％（ｖ／ｖ）で１０．１分間溶出した。ＭＳは、質量範囲ｍ／ｚ１００〜１０００で、ポジティブモードおよびネガティブモードでエレクトロスプレーイオン化（ＥＳＩ）ソースを用いた。イオン化パラメータは、キャピラリー電圧：２．０ｋＶ、コーン電圧：０．０５０ｋＶ、脱溶媒和ガス流量５００Ｌ／時間、脱溶媒和温度：３００℃、およびソース温度：１２０℃であった。また、ロイシンーエンケファリン（２ｎｇ／μＬ）をＬｏｃｋＳｐｒａｙ（商標）の質量基準として利用した。
【００３２】
各種芍薬サンプルのＵＰＬＣ／ＴＯＦ−ＭＳ分析結果の例として、高級品ＳＹ−０３（１等級）および低級品ＳＹ−０４（５等級）のトータルイオンクロマトグラフを図１に示す。ＥＳＩポジティブモードのデータがそれぞれ（Ａ）と（Ｂ）、ＥＳＩネガティブモードのデータがそれぞれ（Ｃ）と（Ｄ）である。これら（Ａ）と（Ｂ）ならびに（Ｃ）と（Ｄ）のをそれぞれ比較すると、有意な差異が観測されるが、これらのサンプルのフィンガープリンティングは、同様なパターンを示し、芍薬のメジャー成分は類似していることを示した。しかし、得られたフィンガープリンティングからは、芍薬の品質（等級）ランキングを容易に判別することは出来なかった。
【００３３】
実施例２（芍薬サンプルのＵＰＬＣ／ＴＯＦ−ＭＳのデータ解析および芍薬代謝プロファイル）
実施例１で得られたＵＰＬＣ／ＴＯＦ−ＭＳによる代謝物フィンガープリティングとして、マススペクトルデータ（ｍ／ｚ値と強度）を含むクロマトグラフ生データ（保持時間）を、ＭａｓｓＬｙｎｘ（商標）ｖｅｒ４．１ソフトウエアパッケージのＤａｔａＢｒｉｄｇｅ法で、ＮｅｔＣＤＦファイルに変換した。変換したデータを、生データフィルタリング、ピーク検出、アラインメント、ギャップフィルタリング、および標準化について、データ処理ソフトウエアのＭＺｍｉｎｅを用いてデータの前処理を行った。
【００３４】
前処理したデータは、おおよそ１８００ｍ／ｚピークからなるが、市販のソフトウエアであるＰｉｒｏｕｅｔｔｅ（登録商標）ｖｅｒ４．０（Ｉｎｆｏｍｅｔｒｉｘ社）を用いて、ＰＣＡ解析を行った。ＥＳＩポジティブモードの場合、総計１８３８個のＸ変数を常用対数に変換し、平均化した。主成分１（ＰＣ１）および主成分３（ＰＣ３）のスコアプロットは、４１．１７％の変動を説明した（図２（Ａ））。図２（Ａ）より、芍薬の１〜４等級（高等級）と５，６等級（低等級）とは、ＰＣ１軸に沿って明確に分離した。しかし、高等級間（１〜４等級間）では区別がつかなかった。ＥＳＩネガティブモードの場合も同様の結果が得られた（図２（Ｂ））。
【００３５】
次にＰＣＡ解析結果をローディングプロットし、高い等級芍薬と低い等級芍薬の分離に大きく寄与している成分をローディングの値よりそれぞれピックアップすることを試みた。ＥＳＩポジティブおよびネガティブモードのＰＡＣスコアプロットに対応するローディングプロットを、それぞれ図３（Ａ）および（Ｂ）に示す。高い等級にランクされた芍薬は、ＰＣ１軸について正の領域にグループ化されたので、高等級と低等級の分離に重要な役割をする代謝物はＰＣ１軸について正の領域に見つけることが出来た。幾つかの代謝物は、測定されたｍ／ｚ比率とＫＮＡｐＳＡｃＫデータベース（ｈｔｔｐ：／／ｋａｎａｙａ．ａｉｓｔ−ｎａｒａ．ａｃ．ｊｐ／ＫＮＡｐＳＡｃＫ）、文献値および標準化合物の理論値と対照し、仮に同定した代謝物を表２および３に示す。同定された多くの化合物における質量誤差は５ｐｐｍ以下であった。しかし、ポジティブイオンモードからの代謝物同定は、イオン化の安定性に欠けるため難しい。一方、ネガティブイオンモードにおける仮同定代謝物を表３に示す。
【００３６】
【表２】
2011174899.tif 000003
【００３７】
【表３】
2011174899.tif 000004
【００３８】
表２および３に示す以外に、等級分離への寄与がそれ程大きくない代謝物として、フマル酸（ｍ／ｚ  １１５．００４２  ［Ｍ−Ｈ］−，ＲＴ＝１．５３ｍｉｎ）、ピロガロール（ｍ／ｚ  １２５．０２５５  ［Ｍ−Ｈ］−，ＲＴ＝３．１８ｍｉｎ）、没食子酸（ｍ／ｚ  １６９．０１４７  ［Ｍ−Ｈ］−，ＲＴ＝３．１７ｍｉｎ）、没食子酸メチル（ｍ／ｚ  １８３．０３１８  ［Ｍ−Ｈ］−，ＲＴ＝４．８４ｍｉｎ）、Ｄ−グルコン酸（ｍ／ｚ  １９５．０５２１  ［Ｍ−Ｈ］−，ＲＴ＝１．３４ｍｉｎ）、（＋）−カテキン（ｍ／ｚ  ２８９．０７２９  ［Ｍ−Ｈ］−，ＲＴ＝４．５８ｍｉｎ）、ペオニフロリン（ｍ／ｚ  ４７９．１５７８  ［Ｍ−Ｈ］−，ＲＴ＝５．５２ｍｉｎ）、アルビフロリン（ｍ／ｚ  ４７９．１６０５  ［Ｍ−Ｈ］−，ＲＴ＝５．３３ｍｉｎ）、６’−ベンゾイルペオニフロリン（ｍ／ｚ  ５８３．１８４０  ［Ｍ−Ｈ］−，ＲＴ＝８．４５ｍｉｎ）、ガロイルペオニフロリンまたはガロイルアルビフロリンまたはそれらの誘導体（ｍ／ｚ  ６３２．１７５３  ［Ｍ−Ｈ］−，ＲＴ＝６．１２，６．３７，ａｎｄ６．５４ｍｉｎ）、３’、６’−ジ−ガロイルペオニフロリン（ｍ／ｚ  ７８４．１８６２  ［Ｍ−Ｈ］−，ＲＴ＝６．４８ｍｉｎ）、ペンタガロイルグルコース（ｍ／ｚ  ９３９．１１０２  ［Ｍ−Ｈ］−，  ＲＴ  ＝  ５．８５  ｍｉｎ）、オキシペオニフロリン（ｍ／ｚ  ９９２．３１２９  ［２Ｍ−Ｈ］−，ＲＴ＝４．３９ｍｉｎ）などが同定された。
【００３９】
実施例３（ＯＳＣフィルタリングおよびＰＬＳ回帰による品質予測モデル）
次いで、ＳＩＭＣＡ−Ｐ  ｖｅｒ１１（Ｕｍｅｔｒｉｃｓ社）ソフトウエアを用いてＰＬＳ回帰分析により品質予測モデルを作成した。即ち、得られた芍薬サンプルのＵＰＬＣ／ＭＳクロマトグラムから保持時間インデックスを独立変数、質量分析シグナル強度を従属変数としてマトリックスデータを作成し、官能試験による等級を説明変数として、等級既知サンプルをキャリブレーションセットとしてＰＬＳ法により品質予測モデルを作成した。
【００４０】
ＰＬＳ分析において、芍薬サンプルの質量分析シグナル強度から計算された独立変数Ｘと官能試験による品質（等級）ランキングを応答変数Ｙの間の関係を観察した。先ず、ＯＳＣフィルタリング法により、ＸからＹのモデリングに関係のないＸデータ変動値を除去した。次いで品質予測モデル構築のために、１等級〜６等級の芍薬サンプルを、キャリブレーションセット（予測モデル構築用）サンプルとテストセット（予測モデルの検証用）サンプルの２つに分け、ＳＹ−２３（１等級）、ＳＹ−２９（２等級）およびＳＹ−３２（５等級）をテストセットとし、それ以外をキャリブレーションセットとした。ＯＳＣ−ＰＬＳ回帰分析を行い、キャリブレーションセットを用いた予測モデルをテストセットで検証した。ポジティブイオンモードにおいて得られた芍薬抽出物のＵＰＬＣフィンガープリンティングから構築したＯＳＣ−ＰＬＳ予測モデルを図４Ａに示す。得られた予測モデルは、相関係数（Ｒ２Ｙ）＝０．９７８、評価の平均２乗誤差（ＲＭＳＥＥ）＝０．２２７およびクロスバリデートした相関係数（Ｑ２）＝０．９７８を示し高い精度を示した。さらにテストセットをこの予測モデルに適用したところ予測の平均２乗誤差（ＳＭＳＥＰ）＝０．３４７を示し、この予測モデルが優れた予測性を有することが判明した。
【００４１】
一方、ネガティブイオンモードのＵＰＬＣフィンガープリンティングから構築したＯＳＣ−ＰＬＳ予測モデルを図４Ｂに示す。このモデルも、良好な回帰適合性および優れた予測性を示し、Ｒ２Ｙ＝０．９８９、ＲＭＳＥＥ＝０．１９４、Ｑ２＝０．９８７およびＲＭＳＥＰ＝０．５２３であった。
【００４２】
この予測モデル構築において寄与変数は射影における変数重要性（ＶＩＰ）として説明され得る。大きなＶＩＰ値（ＶＩＰ値が１以上）はモデル構築に大きな影響を及ぼすが、ＥＳＩポジティブモードによるモデル構築の場合、（＋）−カテキン、アルビフロリン、ガロイルペオニフロリン、ガロイルアルビフロリン、および６’−ベンゾイルペオニフロリンが、モデル構築に大きな影響する代謝物であることが判明した。
【００４３】
一方、ＥＳＩネガティブモードによるモデル構築の場合も、同様の化合物、即ち、（＋）―カテキン、ガロイルペオニフロリン、ガロイルアルビフロリン、ペンタガロイルグルコース、およびオキシペオニフロリンなどが大きなＶＩＰ値を示した。
【００４４】
ＥＳＩポジティブまたはネガティブモードにより予測モデル構築に大きな影響を示した代謝物、（＋）−カテキン、アルビフロリン、ガロイルペオニフロリン、ガロイルアルビフロリン、６’−ベンゾイルペオニフロリン、ペンタガロイルグルコース、およびオキシペオニフロリンなどは、生理活性が報告されているものである。それ故、これらの化合物の予測モデルに対する寄与は、ＵＰＬＣフィンガープリンティングから構築されたＯＳＣ−ＰＬＳ予測モデルが芍薬の効能とある程度関係があることを示していると考えられる。
【００４５】
実施例４  （ＧＣ分析用サンプルの調製）
表１に示した各種乾燥芍薬粉末３０ｍｇを、Ｒｅｔｓｃｈボールミル（２０Ｈｚ、１分間）で再度粉砕し、得られた粉末に、メタノール、水およびクロロホルムの混液（２．５：１：１、ｖ／ｖ／ｖ）を１ｍＬ加え、さらに内部標準のリビトール水溶液（０．６ｍｇ／ｍＬ）６０μＬを加え、５分間振盪した。次いで４℃にて１４０００×ｇで３分間遠心分離した後、上清（９００μＬ）に水４００μＬを加え、再び遠心分離し、親水性代謝物を含む極性層を分取した。この極性層４００μＬを減圧濃縮後、凍結乾燥した。得られた粉末に、塩酸メトキシアミン（Ｓｉｇｍａ−Ａｌｄｒｉｃｈ社）のピリジン溶液（２０ｍｇ／ｍＬ）８０μＬを添加し３０℃で９０分間反応し、ついでＮ−メチル−Ｎ−（トリメチルシリル）トリフルオロアセタミド（ＭＳＴＦＡ）（ＧＬ  Ｓｃｉｅｎｃｅ社）８０μＬを添加し３７℃、３０分間反応することにより、抽出物を誘導体化したＧＣ／ＦＩＤ、ＧＣ／ＴＯＦ−ＭＳおよびＦａｓｔ  ＧＣ／ＦＩＤ分析用サンプルを調製した。
【００４６】
実施例５  （ＧＣ／ＴＯＦ−ＭＳ，ＧＣ／ＦＩＤ，Ｆａｓｔ  ＧＣ／ＦＩＤ分析）
本実施例のＧＣ／ＴＯＦ−ＭＳ装置は、Ｐｅｇａｓｕｓｕ  ＩＩＩ  ＴＯＦ質量分析器（ＬＥＧＯ）およびＡｇｉｌｅｎｔ  ７６８３オートサンプラー／オートインジェクターを備え、カラムとして、ＣＰ−ＳＩＬ  ８  ＣＢ  Ｌｏｗ  Ｂｌｅｅｄ／ＭＳフューズドシリカキャピラリーカラム（３０ｍ×０．２５ｍｍ  ｉｄ×０．２５μｍ膜厚；Ｖａｒｉａｎ  Ｉｎｃ．）を装填したＡｇｉｌｅｎｔ  ６８９０Ｎガスクロマトグラフィー（Ａｇｉｌｅｎｔ  Ｔｅｃｈｎｏｌｏｇｉｅｓ）を用いた。注入温度は２３０℃、キャリヤーガス（ヘリウム）の線速度は３７〜４２ｃｍ／秒の条件下で、実施例４で得られた誘導体化された分析用サンプル１μＬを、スプリットモードでＧＣ／ＴＯＦ−ＭＳに注入した（スプリット率：１：２５、ｖ／ｖ）。カラム温度は、２分間８０℃に保ち、次いで１５℃／分で３２０℃まで上昇させ、同温度で１０分間保った。トランスファーラインおよびイオンソース温度は、それぞれ２５０℃および２００℃にて、８５〜６００ｍ／ｚの質量範囲に渡って記録した。
【００４７】
本実施例のＧＣ／ＦＩＤ装置は、カラムとして、ＧＣ／ＴＯＦ−ＭＳと同じものをもちいて、ＡＯＣ−２０ｓオートサンプラーとＡＯＣ−２０ｉオートインジェクターを備えたＧＣ−２０１０ガスクロマトグラフ（島津製作所）を用いた。注入温度およびＦＩＤ温度は、それぞれ２３０℃および３２０℃で、キャリヤーガス（ヘリウム）の線速度は、４５ｃｍ／秒で、実施例４で得られた誘導体化された分析用サンプル１μＬを、スプリットモードでＧＣ／ＦＩＤに注入した（スプリット率：１：２５、ｖ／ｖ）。カラム温度は、２分間８０℃に保ち、次いで１５℃／分で３２０℃まで上昇させ、同温度で２７分間保った。
【００４８】
Ｆａｓｔ  ＧＣ／ＦＩＤ分析は、上記ＧＣ−２０１０ガスクロマトグラフを用い、カラムとして、Ｒｔｘ−５（１０ｍ×０．１８ｍｍ  ｉｄ×０．２０μｍ膜厚）（Ｒｅｓｔｅｋ社製）を装填し、キャリヤーガス（ヘリウム）の線速度は８０ｃｍ／秒で、実施例４で得られた誘導体化された分析用サンプル１μＬを、スプリットモードでＧＣ／ＦＩＤに注入した（スプリット率：１：１００、ｖ／ｖ）。カラム温度は１００℃に保ち、次いで２５℃／分で３２０℃まで上昇させ、同温度で５分間保った。
【００４９】
各種芍薬サンプルの上記ＧＣ分析結果の例として、高級品ＳＹ−０３（１等級）抽出物のクロマトグラフを図５に示す。ＧＣ／ＦＩＤ、ＧＣ／ＴＯＦ−ＭＳおよびＦａｓｔ  ＧＣ／ＦＩＤのクロマトグラフが、それぞれ（ａ）、（ｂ）および（ｃ）である。（ａ）および（ｂ）の各ピークの同定は、ＧＣ／ＴＯＦ−ＭＳデータに基づき決定した。各ピーク番号の化合物は、以下の通りであった。１  アラニン、２  ノルバリン、３  バリン、４  安息香酸、５  リン酸、６  プロリン、７  グリシン、８  コハク酸、９  グリセリン酸、１０  セリン、１１  リンゴ酸、１２  アスパラギン酸、１３  ピログルタミン酸、１４  ＧＡＢＡ、１５  トレオン酸、１６  オルニチン、１７  グルタミン酸、１８  アスパラギン、１９  グルタミン、２０  クエン酸、２１  キナ酸、２２と２３  フルクトース、２４  ガラクトース、２５と２７  グルコース、２６  ３−メチルサリチル酸、２８  グルシトールまたはマンニトール、２９  没食子酸、３０  ｍyｏ−イノシトール、３１  スクロース。
【００５０】
実施例６  （芍薬サンプルのＧＣ／ＦＩＤおよびＦａｓｔ  ＧＣ／ＦＩＤのデータ解析および芍薬代謝プロファイル）
実施例５で得られたＧＣ／ＦＩＤおよびＦａｓｔ  ＧＣ／ＦＩＤ分析から得られたクロマトグラフ生データを、ＧＣＳｏｌｕｔｉｏｎ  ｖｅｒ２．０（島津製作所）ソフトウエアパッケージを用いて、それぞれＮｅｔＣＤＦファイルに変換した。変換したデータを、標準化およびベースライン補正などのためにＰｉｒｏＴｒａｎｓ  ｖｅｒ１．３４（ＧＬ  Ｓｃｉｅｎｃｅｓ社）を用いた。また保持時間変数は、ＬｉｎｅＵｐ（登録商標）ｖｅｒ２．０ソフトウエア（Ｉｎｆｏｍｅｒｔｒｉｘ社）を用いてターゲットクロマトグラムに調整した。得られたデータは、７０個のオブザベーションと２８７８個のＸ変数（保持時間におけるピーク強度比）の２次元データマトリックスであった。
【００５１】
上記のＧＣ／ＦＩＤ分析結果の前処理したデータは、Ｐｉｒｏｕｅｔｔｅ（登録商標）ｖｅｒ４．０（Ｉｎｆｏｍｅｔｒｉｘ社）を用いて、ＰＣＡ解析を行った。ＰＣＡ解析において、変数を常用対数に変換し、平均化した。その結果、主成分１（ＰＣ１）および主成分２（ＰＣ２）のスコアプロットは、奈良県産芍薬が近接したグループ化されることを示した（図６）。
【００５２】
同様にして得られた７０個のオブザベーションと３４００個のＸ変数の２次元データマトリックスであるＦａｓｔ  ＧＣ／ＦＩＤ分析結果の前処理したデータは、ＳＩＭＣＡ−Ｐ＋ｖｅｒ１２（Ｕｍｅｔｒｉｃｓ社）ソフトウエアを用いて、ＰＬＳ−ＤＡ解析を行った。ＰＬＳ−ＤＡのスコアプロットは、高等級（１、２、３等級；ランク＃１、２、３）サンプルと低等級（４、５、６等級；ランク＃１、２、３）サンプルとが、十分に分離することを示した（図７）。並び替え検定を１００回実施し、このモデルは過剰なあてはめがないことが判明した。
【００５３】
実施例７  （ＯＳＣフィルタリングおよびＰＬＳ回帰による品質予測モデル）
実施例６で得られたＧＣ／ＦＩＤおよびＦａｓｔ  ＧＣ／ＦＩＤ分析結果の前処理したデータより、ＳＩＭＣＡ−Ｐ＋ｖｅｒ１２（Ｕｍｅｔｒｉｃｓ社）ソフトウエアを用いてＰＬＳ回帰分析により品質予測モデルを作成した。即ち、実施例３と同様に、得られた芍薬サンプルのＧＣ／ＦＩＤおよびＦａｓｔ  ＧＣ／ＦＩＤクロマトグラムからそれぞれの保持時間インデックスを独立変数、それぞれのシグナル強度を従属変数としてマトリックスデータを作成し、官能検査による等級を説明変数として、等級既知サンプルをキャリブレーションセットとしてＰＬＳ法により品質予測モデルを作成した。
【００５４】
ＰＬＳ分析において、芍薬サンプルのシグナル強度から計算された独立変数Ｘと官能検査による品質（等級）ランキングを応答変数Ｙの間の関係を観察した。先ず、ＯＳＣフィルタリング法により、ＸからＹのモデリングに関係のないＸデータ変動値を除去した。次いで品質予測モデル構築のために、１等級〜６等級の芍薬サンプルを、キャリブレーションセットサンプルとテストセットサンプルの２つに分け、ＳＹ−２３（１等級）、ＳＹ−２９（２等級）およびＳＹ−３２（５等級）をテストセットとし、それ以外をキャリブレーションセットとした。ＯＳＣ−ＰＬＳ回帰分析を行い、キャリブレーションセットを用いた予測モデルをテストセットで検証した。ＧＣ／ＦＩＤフィンガープリンティングから構築したＯＳＣ−ＰＬＳ予測モデルを図８Ａに示す。得られた予測モデルは、Ｒ２Ｙ＝０．９６８、ＲＭＳＥＥ＝０．３３４、Ｑ２＝０．９４５およびＳＭＳＥＰ＝０．４１６を示し、この予測モデルが優れた予測性を有することが判明した。
【００５５】
一方、Ｆａｓｔ  ＧＣ／ＦＩＤフィンガープリンティングから構築したＯＳＣ−ＰＬＳ予測モデルを図８Ｂに示す。得られた予測モデルは、Ｒ２Ｙ＝０．９６１、ＲＭＳＥＥ＝０．３７０、Ｑ２＝０．９５２およびＳＭＳＥＰ＝０．１９１を示し、この予測モデルが優れた予測性を有することが判明した。
【００５６】
以上のように、質量分析を搭載した分析機器と比較して、より安価なＧＣ／ＦＩＤ分析データを用いても精度の高い品質予測モデルを構築できた。
【産業上の利用可能性】
【００５７】
本発明によれば、従来困難であった生薬の芍薬の総合品質を、より精度よくかつ簡便な方法で鑑定することが可能である。したがって、従来の官能試験結果と薬理学的に活性な化合物の含量との関連も含めた総合的な鑑定により、適切な品質および価格の芍薬を提供することができる。
【図１】
2011174899.tif 000005
【図２】
2011174899.tif 000006
【図３】
2011174899.tif 000007
【図４】
2011174899.tif 000008
【図５】
2011174899.tif 000009
【図６】
2011174899.tif 000010
【図７】
2011174899.tif 000011
【図８】
2011174899.tif 000012